(57)【要約】【課題】通電が遮断された状態においても、フィルタからの温水の漏出を防止する。【解決手段】外槽３３の底部３３ａに一端を接続し他端を洗濯兼脱水槽３４の開口部３４ｂに臨ませた循環経路４４と、外槽３３内の洗濯水を循環経路４４を通して洗濯兼脱水槽３４内に吐出し循環させる循環ポンプ４５と、循環経路４４に設けられ洗濯水中の異物を取り除くフィルタ手段４７とを備え、フィルタ手段４７は、循環経路４４に連通接続したフィルタケース４７ａと、フィルタケース４７ａ内に脱着自在に装着するフィルタ４７ｂと、フィルタ４７ｂを装着した状態に保持するロック手段４８とを有し、ロック手段４８は、洗濯水の温度が所定温度より高い時にロックするようにしたものである。【選択図】図１
2014212823.tif 000002
【特許請求の範囲】
【請求項１】
洗濯機本体内に支持された外槽と、
前記外槽内に回転自在に配設された洗濯兼脱水槽と、
前記外槽内に洗濯水を供給する給水手段と、
洗濯水を加熱する加熱手段と、
前記外槽の底部に一端を接続し他端を前記洗濯兼脱水槽の開口部に臨ませた循環経路と、前記外槽内の洗濯水を前記循環経路を通して前記洗濯兼脱水槽内に循環させる循環ポンプと、
前記循環経路に設けられ洗濯水中の異物を取り除くフィルタ手段と、を備え、
前記フィルタ手段は、
前記循環経路に連通接続したフィルタケースと、
前記フィルタケース内に脱着自在に装着されるフィルタと、
前記フィルタを装着した状態に保持するロック手段と、を有し、
前記ロック手段は、前記洗濯水の温度が所定温度より高い時にロックするよう構成された洗濯機。
【請求項２】
前記ロック手段は、
前記フィルタの離脱を防止するロック部と、
洗濯水の温度を感知する感温部と、
前記感温部で感知した温度に応じて前記ロック部を駆動するロック操作部と、を有し、
前記感温部は前記循環経路に設けられた請求項１に記載の洗濯機。
【請求項３】
前記ロック手段は、
前記フィルタの離脱を防止するロック部と、
洗濯水の温度を感知する感温部と、
前記感温部で感知した温度に応じて前記ロック部を駆動するロック操作部と、を有し、
前記感温部は前記フィルタケースに設けられた請求項１に記載の洗濯機。
【請求項４】
前記ロック手段は、
前記フィルタの離脱を防止するロック部と、
洗濯水の温度を感知する感温部と、
前記感温部で感知した温度に応じて前記ロック部を駆動するロック操作部と、を有し、
前記ロック手段は前記フィルタ内に設けられた請求項１〜３のいずれか１項に記載の洗濯機。
【請求項５】
前記ロック手段は、
前記フィルタの離脱を防止するロック部と、
洗濯水の温度を感知する感温部と、
前記感温部で感知した温度に応じて前記ロック部を駆動するロック操作部と、を有し、
前記感温部はコイル状の形状記憶合金で構成された請求項１に記載の洗濯機。
【請求項６】
前記ロック手段は、洗濯水の温度を感知する感温部を有した液体膨張による作動体で構成され、
前記感温部は、前記加熱手段近傍の外槽に設けられた請求項１に記載の洗濯機。
【発明の詳細な説明】
【技術分野】
【０００１】
本発明は、衣類等の洗濯物を洗う洗濯機に関する。
【背景技術】
【０００２】
従来、この種の洗濯機は、洗濯水に含まれるリント等の異物を取り除くフィルタ装置が排水経路に設けられており、フィルタを脱着可能に設けて捕集した異物を除去することができるようにしている。そして、フィルタ装置のメンテナンス時に、排水が機外に漏れることを防止することが考えられている（例えば、特許文献１参照）。
【０００３】
図８は、特許文献１に記載された従来の洗濯機を示すものである。図８において、ドラム１を回転自在に支持する水槽２内の水を排出する排水経路３と、排水経路３の途中に着脱可能に配設され、排水に含まれるリント等の異物を捕集するフィルタ装置４と、排水経路３の途中に連通して設けられ、排水の一部を導く排水導入経路５と、排水導入経路５中の水位を検知するフロートから成る残水検知手段６と、残水検知手段６と連係してフィルタ装置４の取り外しを規制するロック装置７を備えたものであり、残水を検知してフィルタ装置４の取り外しを規制することにより、残水があるときのフィルタ装置４の取り外しによる漏水を防止するようにしたものである。
【０００４】
また、作動体を流体の温度変化により形状が変化する形状記憶合金で形成し、流体の温度変化による作動体の形状変化により、弁体を弁座に接離させて開閉作動するようにした温度弁が考えられている（例えば、特許文献２参照）。
【先行技術文献】
【特許文献】
【０００５】
【特許文献１】特開２０１０−１３６７４０号公報
【特許文献２】実開昭５６−１１３２７４号公報
【発明の概要】
【発明が解決しようとする課題】
【０００６】
しかしながら、前記従来の構成では、残水検知手段を排水導入経路中に設けたフロートで構成しているため、排水中のゴミやリントでフロートが汚れ、動作不良が生じるという問題があった。また、フィルタ装置の取り外しを規制するロック装置は、電気的に駆動する構成であるため電源が遮断されると作動しなくなるという課題があった。一般的に、フィルタ装置のメンテナンス作業は、洗濯の終了後に行われることが多く、洗濯機は運転を停止した状態であり、ロック装置を駆動する制御手段が不作動状態であるときは、フィルタ装置の取り外しによる漏水を防止することがでないという問題があった。
【０００７】
本発明は、前記従来の課題を解決するもので、洗濯機の通電が遮断された状態においても、フィルタからの温水の漏出を防止することができるようにした洗濯機を提供することを目的とする。
【課題を解決するための手段】
【０００８】
前記従来の課題を解決するために、本発明の洗濯機は、洗濯機本体内に支持された外槽と、前記外槽内に回転自在に配設された洗濯兼脱水槽と、前記外槽内に洗濯水を供給する給水手段と、洗濯水を加熱する加熱手段と、前記外槽の底部に一端を接続し他端を前記洗濯兼脱水槽の開口部に臨ませた循環経路と、前記外槽内の洗濯水を前記循環経路を通して前記洗濯兼脱水槽内に循環させる循環ポンプと、前記循環経路に設けられ洗濯水中の異物
を取り除くフィルタ手段と、を備え、前記フィルタ手段は、前記循環経路に連通接続したフィルタケースと、前記フィルタケース内に脱着自在に装着されるフィルタと、前記フィルタを装着した状態に保持するロック手段と、を有し、前記ロック手段は、前記洗濯水の温度が所定温度より高い時にロックするよう構成されたものである。
【０００９】
これによって、洗濯中や洗濯後に、洗濯水や残水が外槽や循環経路に存在し所定温度より高い場合は、通電が遮断された状態であってもロック手段が作動してフィルタを取り外せなくすることができるようになり、温水の漏出を防止して、安全性を向上することができる。
【発明の効果】
【００１０】
本発明の洗濯機は、洗濯水や残水が外槽や循環経路に存在し所定温度より高い場合は、通電が遮断された状態であってもフィルタを取り外せなくすることができ、温水の漏出を防止して、安全性を向上することができる。
【図面の簡単な説明】
【００１１】
【図１】本発明の実施の形態１における洗濯機の要部断面図
【図２】本発明の実施の形態２における洗濯機の要部断面図
【図３】本発明の実施の形態３における洗濯機の要部断面図
【図４】本発明の実施の形態４における洗濯機の要部断面図
【図５】本発明の実施の形態５における洗濯機のフィルタ手段の要部断面図
【図６】同洗濯機のフィルタ手段の要部断面図
【図７】本発明の実施の形態６における洗濯機の要部断面図
【図８】従来の洗濯機の要部断面図
【発明を実施するための形態】
【００１２】
本発明の洗濯機は、洗濯機本体内に支持された外槽と、前記外槽内に回転自在に配設された洗濯兼脱水槽と、前記外槽内に洗濯水を供給する給水手段と、洗濯水を加熱する加熱手段と、前記外槽の底部に一端を接続し他端を前記洗濯兼脱水槽の開口部に臨ませた循環経路と、前記外槽内の洗濯水を前記循環経路を通して前記洗濯兼脱水槽内に循環させる循環ポンプと、前記循環経路に設けられ洗濯水中の異物を取り除くフィルタ手段と、を備え、前記フィルタ手段は、前記循環経路に連通接続したフィルタケースと、前記フィルタケース内に脱着自在に装着されるフィルタと、前記フィルタを装着した状態に保持するロック手段と、を有し、前記ロック手段は、前記洗濯水の温度が所定温度より高い時にロックするよう構成されたものである。
【００１３】
これにより、洗濯中や洗濯後に、洗濯水や残水が外槽や循環経路に存在し所定温度より高い場合は、通電が遮断された状態であってもロック手段が作動してフィルタを取り外せなくすることができるようになり、温水の漏出を防止して、安全性を向上することができる。
【００１４】
上記構成において、前記ロック手段は、前記フィルタの離脱を防止するロック部と、洗濯水の温度を感知する感温部と、前記感温部で感知した温度に応じて前記ロック部を駆動するロック操作部と、を有し、前記感温部は前記循環経路に設けられてもよい。
【００１５】
これにより、残水の溜まり易い循環経路内の残水が少量であっても、確実にその温度を感知してロック部を作動させることができ、ロック手段の信頼性を向上させることができる。
【００１６】
上記構成において、前記ロック手段は、前記フィルタの離脱を防止するロック部と、洗
濯水の温度を感知する感温部と、前記感温部で感知した温度に応じて前記ロック部を駆動するロック操作部と、を有し、前記感温部は前記フィルタケースに設けられてもよい。
【００１７】
これにより、最初に漏水する残水の温度を感知してロック部を作動させることができ、ロック手段の信頼性を向上させることができる。
【００１８】
上記構成において、前記ロック手段は、前記フィルタの離脱を防止するロック部と、洗濯水の温度を感知する感温部と、前記感温部で感知した温度に応じて前記ロック部を駆動するロック操作部と、を有し、前記ロック手段は前記フィルタ内に設けられてもよい。
【００１９】
これにより、感温部の感度を高めてロック部を迅速に作動させることができ、ロック手段の信頼性を向上させることができる。
【００２０】
上記構成において、前記ロック手段は、前記フィルタの離脱を防止するロック部と、洗濯水の温度を感知する感温部と、前記感温部で感知した温度に応じて前記ロック部を駆動するロック操作部と、を有し、前記感温部はコイル状の形状記憶合金で構成されてもよい。
【００２１】
これにより、設定温度以上で確実にロック操作部を伸ばすことができ、ロック手段の信頼性を向上させるとともに、構成を簡略にすることができる。
【００２２】
上記構成において、前記ロック手段は、洗濯水の温度を感知する感温部を有した液体膨張による作動体で構成され、前記感温部は、前記加熱手段近傍の外槽に設けられてもよい。
【００２３】
これにより、フィルタと離れた位置から残水の温度を感知してロック部を作動させることができるようになり、残水の温度が最も高い外槽内の温度を感知して、温水の漏出を防止することができ、安全性を向上することができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態の洗濯機の要部断面図である。図１において、洗濯機本体３０内に弾性体３１と減衰装置３２によって外槽３３を揺動可能に弾性支持している。洗濯兼脱水槽３４は、外槽３３内に回転自在に配設している。モータ（駆動手段）３５は、ブラシレス直流モータで構成され、インバータ制御によって回転速度を自在に変化させることができるようにしている。
【００２６】
モータ３５は、外槽３３の外底部の後面側に取り付けている。モータ３５の動力は、モータ３５の回転軸に取り付けたモータプーリ３５ａと、洗濯兼脱水槽３４の回転軸に取り付けた洗濯兼脱水槽プーリ３４ａに架設した駆動ベルト３５ｂを介して洗濯兼脱水槽３４に伝達され、回転させるようにしている。
【００２７】
給水弁（給水手段）３６は、水道栓等に接続され、外槽３３内と洗剤供給手段３７に洗濯水を給水するものであり、外槽３３内への直接給水と、洗剤供給手段３７を経由する間接給水とに切り替える電磁式の２方弁である。水位検知手段３８は、外槽３３内の洗濯水の水位を検知する。排水弁（排水手段）３９は、外槽３３内の洗濯水を機外へ排水するものである。
【００２８】
制御手段４０は、洗濯機本体３０内の上部に配設されており、洗濯機本体３０の前面上部に設けられた操作表示部（図示せず）により入力された設定内容に基づいて、洗い、すすぎ、脱水の各行程を逐次制御し、パワースイッチング手段（図示せず）を介して、モータ３５、給水弁３６、排水弁３９等を逐次制御する。
【００２９】
減衰装置３２は、オイルを作動流体とする粘性ダンパーで、脱水起動時の外槽３３の共振振動振幅を低減するものであり、洗濯機本体３０の底部３０ａと外槽３３の底部３３ａの間に固定されている。脚４１は、ゴムなどの弾性体で構成され、洗濯機本体３０の底部３０ａの四隅に配設されている。
【００３０】
加熱手段４２は、水中で使用可能なシーズヒータ等が使用され、外槽３３内の底部に略Ｕ字状に曲げて配設されている。外槽３３内の洗濯水は、操作表示部により設定された設定温度に基づいて、洗濯に適した温度（例えば、４０℃）に加熱され、また、除菌に適した温度（例えば、７０℃）に加熱される。洗濯水の温度は、外槽３３の底部３３ａに設けられたサーミスタ等の温度検知手段４３により検知し、加熱手段４２は、温度検知手段４３の出力信号が制御手段４０に入力されて制御される。
【００３１】
外槽３３の底部３３ａに一端を接続し、他端を洗濯兼脱水槽３４の前面側に開口した投入口（開口部）３４ｂに臨ませた循環経路４４が設けられており、外槽３３の下方に配設されている。循環経路４４には、外槽３３内の洗濯水を加圧し循環させる循環ポンプ４５が設けられている。循環ポンプ４５の出口側４５ａには、噴出ノズル４６が接続されており、外槽３３の開口部３３ｂに設けられた噴出口４６ａから洗濯兼脱水槽３４内に洗濯水を吐出するようにしている。
【００３２】
循環経路４４には、循環経路４４を流れる洗濯水中のリント等の異物を取り除くフィルタ手段４７が設けられており、フィルタ手段４７は、循環ポンプ４５の入口側４５ｂに配設している。
【００３３】
フィルタ手段４７は、循環経路４４に連通接続したフィルタケース４７ａと、フィルタケース４７ａ内に脱着自在に装着するフィルタ４７ｂと、フィルタ４７ｂの装着時と取外し時にフィルタ４７ｂを把持するフィルタツマミ４７ｃと、フィルタ４７ｂを装着状態に保持するロック手段４８とで構成されている。
【００３４】
ロック手段４８は、循環経路４４と感熱的に結合した感温部４９と、一端を感温部４９に支持しバイメタルで構成されたロック操作部５０と、ロック操作部５０の先端に設けられたロック部５１とで構成され、感温部４９で所定温度（例えば、７０℃）より高い温度を感知した場合は、ロック手段４８が作動する。
【００３５】
感温部４９は、循環ポンプ４５の入口側４５ｂに接合されており、入口側４５ｂ内に滞留した洗濯水から吸熱してバイメタルで構成したロック操作部５０を支持するとともに、熱を伝える働きをするものである。ロック部５１は、ロック操作部５０の熱変形により移動してフィルタツマミ４７ｃに設けられているロック穴５２に挿入されるように構成している。
【００３６】
以上のように構成された洗濯機について、以下その動作、作用を説明する。まず、外槽３３の前面側に設けた開口部３３ｂを開閉する扉３０ｂを開き、洗濯兼脱水槽３４の前面側に開口した投入口３４ｂから洗濯兼脱水槽３４内に洗濯物を投入し、洗剤供給手段３７内に洗剤を入れた後、操作表示部を操作して運転を開始する。
【００３７】
これによって、制御手段４０は、給水弁３６を洗剤供給手段３７側に設定し、外槽３３
内に給水を開始する。この時、給水された洗濯水は、外槽３３と洗濯兼脱水槽３４で構成される隙間に流入し、直接洗濯物が吸水することはないので、吸水による洗濯物の温度低下を防ぐことができる。
【００３８】
投入された洗濯物の量を布量検知手段（図示せず）で検知し、洗濯物の量に応じて予め設定された所定量の水が給水されると、制御手段４０は、洗濯兼脱水槽３４を叩き洗いが可能な回転速度（例えば、４５ｒ／ｍｉｎ）で正転と反転を繰り返し行わせ、洗濯物を回転方向へ持ち上げて、洗濯兼脱水槽３４内の上部から落下させる、所謂、叩き洗いを実行する。除菌洗浄を行う場合、外槽３３の底部３３ａに溜めた洗濯水は、加熱手段４２により温度検知手段４３が例えば７０℃を検知するまで加熱される。
【００３９】
その間、循環ポンプ４５を駆動させ、外槽３３の底部３３ａから循環経路４４に流出した洗濯水は、フィルタ手段４７を経由して循環ポンプ４５の入口側４５ｂから吸込まれた後、循環ポンプ４５の出口側４５ａに設けられている噴出ノズル４６に流れ、噴出口４６ａから洗濯兼脱水槽３４内に噴出する。
【００４０】
洗濯兼脱水槽３４内に吐出された洗濯水は、洗濯物から汚れを溶かし込んで再び外槽３３の底部３３ａに溜まる。洗濯中に洗濯物から流れ出たリント等の異物は、フィルタ手段４７が捕集して取り除かれ、異物を除去した洗濯水が循環ポンプ４５に流れ込む。フィルタ手段４７で異物の捕集が進行し多量に堆積すると、フィルタ手段４７に洗濯水の流れが堰き止められ、循環する洗濯水が減って噴出ノズル４６の噴出口４６ａから噴出する洗濯水が減少すると、フィルタ手段４７を掃除する必要がある。
【００４１】
フィルタ４７ｂで捕集したリント等の異物を取り除くときは、フィルタツマミ４７ｃを回動してフィルタ４７ｂをフィルタケース４７ａから取り出し、異物の除去後はフィルタケース４７ａ内に装着する。
【００４２】
洗濯終了後、排水弁３９が作動し、洗濯水が排水される。高温洗浄で洗濯水の温度が例えば７０℃に加熱されている場合、排水が完全に行われずに循環経路４４内に高温の洗濯水が滞留していると、感温部４９を介してロック操作部５０が加熱されて熱変形し、ロック部５１はロック穴５２の方向に移動する。
【００４３】
ロック部５１がロック穴５２に挿入されると、フィルタツマミ４７ｃの回動が妨げられ、フィルタ４７ｂをフィルタケース４７ａから取り外すことができなくなる。時間が経過して、滞留した洗濯水の温度が低下し、ロック操作部５０の形状が復元すると、ロック部５１がロック穴５２から抜けてフィルタツマミ４７ｃの回動が可能となり、フィルタ４７ｂを取り外すことができるようになる。したがって、高温の洗濯水が漏出することなく、安全にフィルタ４７ｂを取り外すことができるようになる。
【００４４】
以上のように、本実施の形態においては、洗濯機本体３０内に揺動可能に支持した外槽３３と、外槽３３内に回転自在に配設した洗濯兼脱水槽３４と、外槽３３に洗濯水を供給する給水手段３６と、洗濯水を加熱する加熱手段４２と、外槽３３の底部３３ａに一端を接続し他端を洗濯兼脱水槽３４の開口部３４ｂに臨ませた循環経路４４と、外槽３３内の洗濯水を循環経路４４を通して洗濯兼脱水槽３４内に吐出し循環させる循環ポンプ４５と、循環経路４４に設けられ洗濯水中の異物を取り除くフィルタ手段４７とを備え、フィルタ手段４７は、循環経路４４に連通接続したフィルタケース４７ａと、フィルタケース４７ａ内に脱着自在に装着するフィルタ４７ｂと、フィルタ４７ｂを装着した状態に保持するロック手段４８とを有し、ロック手段４８は、洗濯水の温度が所定温度より高い時にロックするようにしたものであり、洗濯中や洗濯後に、洗濯水や残水が外槽３３や循環経路４４に存在し所定温度より高い場合は、通電が遮断された状態であってもロック手段４８
が作動してフィルタ４７ｂを取り外せなくすることができるようになり、温水の漏出を防止して、安全性を向上することができる。
【００４５】
（実施の形態２）
図２は、本発明の第２の実施の形態の洗濯機の要部断面図である。本実施の形態の特徴は、ロック手段４８の感温部４９を循環経路４４に設けて洗濯水の温度を感知するようにしたものである。他の構成は実施の形態１と同じであり、同一の構成に同一の符号を付して、詳細な説明は実施の形態１のものを援用する。
【００４６】
図２において、ロック手段４８は、フィルタケース４７ａからのフィルタ４７ｂの離脱を防止するロック部５１と、洗濯水の温度を感知する感温部４９と、感温部４９で感知した温度に応じてロック部５１を駆動するロック操作部５０を備えている。感温部４９は、フィルタケース４７ａへの流入側の循環経路４４に設けている。
【００４７】
本実施の形態によれば、外槽３３の底部３３ａからフィルタ手段４７に至る循環経路４４は、外槽３３の底部３３ａより下方に配設されて残水が溜まり易く、循環経路４４内の残水が少量であっても、確実にその温度を感知してロック部５１を作動させることができるので、ロック手段４８の信頼性を向上させることができる。
【００４８】
（実施の形態３）
図３は、本発明の第３の実施の形態の洗濯機の要部断面図である。本実施の形態の特徴は、ロック手段４８の感温部４９をフィルタケース４７ａに設けて洗濯水の温度を感知するようにしたものである。他の構成は実施の形態１と同じであり、同一の構成に同一の符号を付して、詳細な説明は実施の形態１のものを援用する。
【００４９】
図３において、ロック手段４８は、フィルタケース４７ａからのフィルタ４７ｂの離脱を防止するロック部５１と、洗濯水の温度を感知する感温部４９と、感温部４９で感知した温度に応じてロック部５１を駆動するロック操作部５０を備えている。感温部４９は、フィルタケース４７ａの外面下部に設けている。
【００５０】
本実施の形態によれば、残水の漏水口となるフィルタケース４７ａに感温部４９を設けることにより、最初に漏水する残水の温度を感知してロック部５１を作動させることができ、ロック手段４８の信頼性を更に向上させることができる。
【００５１】
（実施の形態４）
図４は、本発明の第４の実施の形態の洗濯機の要部断面図である。本実施の形態の特徴は、ロック手段４８をフィルタ４７ｂ内に設けて洗濯水の温度を感知するようにしたものである。他の構成は実施の形態１と同じであり、同一の構成に同一の符号を付して、詳細な説明は実施の形態１のものを援用する。
【００５２】
図４において、ロック手段４８は、フィルタケース４７ａからのフィルタ４７ｂの離脱を防止するロック部５１と、洗濯水の温度を感知する感温部４９と、感温部４９で感知した温度に応じてロック部５１を駆動するロック操作部５０を備えている。ロック手段４８は、フィルタ４７ｂ内に設けている。
【００５３】
本実施の形態によれば、漏水口となるフィルタケース４７ａ内の残水中に挿入されるフィルタ４７ｂ内にロック手段４８を設けたものあり、感温部４９の感度を高めてロック部５１を迅速に作動させることができ、ロック手段４８の信頼性を更に向上させることができる。
【００５４】
（実施の形態５）
図５は、本発明の第５の実施の形態の洗濯機のフィルタ手段の要部断面図であり、ロック手段によるロック状態を示している。図６は、同ロック手段のロック解除状態を示している。本実施の形態の特徴は、ロック手段４８の感温部４９ａをコイル状の形状記憶合金で構成したものである。他の構成は実施の形態１と同じであり、同一の構成に同一の符号を付して、詳細な説明は実施の形態１のものを援用する。
【００５５】
図５および図６において、ロック手段４８の感温部４９ａをコイル状に形成した形状記憶合金で構成している。圧縮ばね５３は、感温部４９ａが設定温度以下になったとき、元の状態に戻す方向に付勢されている。リンク機構５４は、ロック操作部５０の一端と連結されており、感温部４９ａの伸縮によるロック操作部５０の進退動作により、ロック部５１がフィルタツマミ４７ｃの側部から出没するように構成されている。
【００５６】
また、フィルタケース４７ａには、ロック部５１と対向する位置にロック部５１の先端部分が挿入されるロック穴５２が設けられている。ロック操作部５０は、感温部４９ａと圧縮ばね５３によって進退自在に設けられ、フィルタ４７ｂ内に摺動可能に構成している。
【００５７】
感温部４９ａに温水の熱が伝わり所定温度（例えば、７０℃）以上になると、感温部４９ａの復元力によって圧縮ばね５３を圧縮し、ロック操作部５０が伸びる方向に移動するので、ロック部５１がフィルタツマミ４７ｃの側部から突出してロック穴５２に挿入され、フィルタツマミ４７ｃの回動が規制されて、フィルタ４７ｂが装着された状態に保持される。
【００５８】
感温部４９ａの温度が所定温度（例えば、７０℃）より下がると、復元力が失われ、圧縮ばね５３の反発力でロック操作部５０が縮む方向に移動し、ロック部５１がロック穴５２から離脱する。ロック部５１は、フィルタツマミ４７ｃの側部から内方へ収容され、フィルタツマミ４７ｃの回動が可能となる。したがって、フィルタ４７ｂは、ロック手段４８とともにフィルタケース４７ａから取り外すことができる。
【００５９】
本実施の形態によれば、感温部４９ａが設定温度に達すると元の形状に復元するコイル状の形状記憶合金で構成されたものであり、設定温度以上で確実にロック操作部５０を作動させることができ、ロック手段４８の信頼性を向上させるとともに、構成を簡略にすることができる。
【００６０】
（実施の形態６）
図７は、本発明の第６の実施の形態の洗濯機の要部断面図である。本実施の形態の特徴は、ロック手段４８を感温部４９ｂを有した液体膨張による作動体５５で構成し、感温部４９ｂを加熱手段４２近傍の外槽３３に設けたものである。他の構成は実施の形態１と同じであり、同一の構成に同一の符号を付して、詳細な説明は実施の形態１のものを援用する。
【００６１】
図７において、ロック手段４８は、感温部４９ｂを有した液体膨張による作動体５５で構成している。感温部４９ｂは、外槽３３の底部３３ａに配設した加熱手段４２の近傍の外槽３３の底部３３ａに設けている。
【００６２】
本実施の形態によれば、フィルタ４７ｂから離れた位置で洗濯水の温度を感知することができるようになり、残水の温度が最も高い外槽３３内の温度を感知して、ロック部５１を作動させることができ、温水の漏出を防止して安全性を向上することができる。
【産業上の利用可能性】
【００６３】
以上のように、本発明にかかる洗濯機は、洗濯水や残水が外槽や循環経路に存在し所定温度より高い場合は、通電が遮断された状態であってもフィルタを取り外せなくすることができ、温水の漏出を防止して、安全性を向上することができるので、洗濯機として有用である。
【符号の説明】
【００６４】
３０  洗濯機本体
３３  外槽
３４  洗濯兼脱水槽
３６  給水弁（給水手段）
４２  加熱手段
３３ａ  底部
３４ｂ  開口部
４４  循環経路
４５  循環ポンプ
４７  フィルタ手段
４７ａ  フィルタケース
４７ｂ  フィルタ
４８  ロック手段
【図１】
2014212823.tif 000003
【図２】
2014212823.tif 000004
【図３】
2014212823.tif 000005
【図４】
2014212823.tif 000006
【図５】
2014212823.tif 000007
【図６】
2014212823.tif 000008
【図７】
2014212823.tif 000009
【図８】
2014212823.tif 000010